(57)【要約】【課題】様々な形状の梯子、脚立や三脚等の支柱間に複数の踏桟を有する昇降器具に簡易に取り付けられる、足場板を架設するための足場板支持具を提供すること。【解決手段】昇降器具５０の複数の踏桟５２の１つに、平板の両側で折り曲がった２つの側面で挟むように上方から被せて着脱自在に載置される取付部材１１と、一端側が前記取付部材１１の１つの側面の略中央に固定され、他端側が前記１つの側面から略垂直に張り出すように延設されて、足場板９０が載置される載置部材１２と、一端側が長さ調整部１４を介して前記載置部材１２の前記他端側に回動自在に取り付けられ、他端側が前記取付部材１１が載置された前記踏桟５２の少なくとも１段上方の踏桟５２に引っ掛けるようにして着脱自在に取り付けられる吊部材１３と、を具備する。【選択図】図１
2019078109.tif 000002
【特許請求の範囲】
【請求項１】
２本の支柱と、前記２本の支柱の間に架設された複数の踏桟とを有する昇降器具に取り付けられ、少なくとも２台の前記昇降器具の間に架設される足場板を支持する足場板支持具であって、
前記昇降器具の前記複数の踏桟の１つに、平板の両側で折り曲がった２つの側面で挟むように上方から被せて着脱自在に載置される取付部材と、
一端側が前記取付部材の１つの側面の略中央に固定され、他端側が前記１つの側面から略垂直に張り出すように延設されて、前記足場板が載置される載置部材と、
一端側が長さ調整部を介して前記載置部材の前記他端側に回動自在に取り付けられ、他端側が前記取付部材が載置された前記踏桟の少なくとも１段上方の踏桟に引っ掛けるようにして着脱自在に取り付けられる吊部材と、
を有することを特徴とする足場板支持具。
【請求項２】
前記吊部材の前記長さ調整部が、一端側にフックを設けたターンバックルであり、前記吊部材が前記フックによって前記載置部材の前記他端側に着脱自在に取り付けられることを特徴とする請求項１に記載の足場板支持具。
【請求項３】
前記取付部材が断面略Ｃ字形状のリップ溝形鋼であることを特徴とする請求項１または２に記載の足場板支持具。
【発明の詳細な説明】
【技術分野】
【０００１】
本発明は、梯子、脚立や三脚等の、２本の支柱とその間に架設される複数の踏桟とを有する昇降器具に取り付けられ、少なくとも２台の昇降器具の間に架設される足場板を支持する足場板支持具に関する。
【背景技術】
【０００２】
手の届かないような高所作業を行う際、梯子や脚立を配設して、その上に作業者が上がって作業を行うが、作業範囲が広い場合、何度も梯子や脚立の位置をずらすことになり、作業能率が悪い。また、鋼管などを組み立てて仮設足場を設営するのは、大掛かりで手間も費用も掛かるため、短時間で済ませられる作業には適さない。従って、作業範囲が広く、また、短時間で済ませられる作業には、梯子や脚立等の昇降器具に足場板を取り付けて簡易的な足場を構築できると非常に有用である。
【０００３】
上記の従来技術としては、梯子に取り付けて用いる足場板を支持する足場板支持構造が特許文献１に開示されている。この足場板支持構造は、２本の支柱と、その支柱間に設けられた複数の踏桟を備え、各踏桟の軸方向の内部と支柱とを貫通する挿通孔を有する梯子に対して取り付けられるものであり、両端部に孔部を有するコ字形状のブラケットとその孔部間に挿通される軸部材とを備える取付部材と、取付部材のブラケットの中央部に内端部が固定された一本状の載置部材と、一端部が載置部材の外端部に回動自在に固定されて伸縮自在なアーム部を間に介して他端部に踏桟に把持するクランプ部を備える支持部材とから構成されている。梯子への取り付けは、ブラケットの両端部の孔部を梯子の支柱と踏桟とを貫通する挿通孔に合わせて軸部材で挿通することによって取付部材を梯子の踏桟の１つに取り付け、支持部材のクランプ部をその一段下の踏桟に把持させる。このようにして足場板支持構造を取り付けた梯子を２台、所定の間隔をおいて壁に立て掛けて、支持部材のアーム部の長さを調整して載置部材を水平にし、その間に足場板を架設するというものである。
【先行技術文献】
【特許文献】
【０００４】
【特許文献１】特開２００２−１５５６８８号公報
【発明の概要】
【発明が解決しようとする課題】
【０００５】
上記の従来技術は、踏桟の内部と支柱とを貫通する貫通孔のある梯子にしか適用できないという問題点がある。また、取り付けにもやや手間がかかる。
【０００６】
本発明は上記事情に鑑みてなされたものであって、様々な形状の梯子、脚立や三脚等の支柱間に複数の踏桟を有する昇降器具に簡易に取り付けることができる足場板支持具を提供することを目的とするものである。
【課題を解決するための手段】
【０００７】
上記課題を解決するために本発明に係る足場板支持具は、２本の支柱と、前記２本の支柱の間に架設された複数の踏桟とを有する昇降器具に取り付けられ、少なくとも２台の前記昇降器具の間に架設される足場板を支持する足場板支持具であって、前記昇降器具の前記複数の踏桟の１つに、平板の両側で折り曲がった２つの側面で挟むように上方から被せて着脱自在に載置される取付部材と、一端側が前記取付部材の１つの側面の略中央に固定され、他端側が前記１つの側面から略垂直に張り出すように延設されて、前記足場板が載置される載置部材と、一端側が長さ調整部を介して前記載置部材の前記他端側に回動自在に取り付けられ、他端側が前記取付部材が載置された前記踏桟の少なくとも１段上方の踏桟に引っ掛けるようにして着脱自在に取り付けられる吊部材と、を有することを特徴とする。
【０００８】
また、前記吊部材の前記長さ調整部が、一端側にフックを設けたターンバックルであり、前記吊部材が前記フックによって前記載置部材の前記他端側に着脱自在に取り付けられることを特徴とする。
【０００９】
また、前記取付部材が断面略Ｃ字形状のリップ溝形鋼であることを特徴とする。
【発明の効果】
【００１０】
本発明に係る足場板支持具は、取付部材と吊部材によって昇降器具に取り付けられ、どちらも昇降器具の踏桟に対して取り付けられるため、昇降器具の支柱の幅や形状に依存せずに取り付けることが可能である。また、取付部材は、複数の踏桟の１つに平板の両側で折り曲がった２つの側面で挟むように上方から被せて着脱自在に載置され、吊部材は、前記取付部材が載置された前記踏桟の少なくとも１段上方の踏桟に引っ掛けるようにして着脱自在に取り付けられるため、踏桟の断面形状に依存せずに取り付け可能である。また、吊部材が長さ調整部を有しているため、昇降器具の踏桟の間隔が異なる場合でも足場板を載せる載置部材を水平に取り付け可能である。また、取付部材と吊部材を踏桟に取り付け、載置部材が水平になるように吊部材の長さ調整部の長さを調整するだけでよいので、非常に簡易に取り付け可能である。
【００１１】
また、吊部材の長さ調整部が、一端側にフックを設けたターンバックルであり、吊部材がそのフックによって載置部材の他端側に着脱自在に取り付けられるため、取付部材及び取付部材に固定された載置部材と、吊部材と、を分離することができ、保管時等にかさばらない。また、取付部材と吊部材とを別々に昇降器具に取り付けた後で前記フックによって連結することができるため、足場板支持具全体を手に持って取り付けなくてよいので、取り付けが簡易である。
【００１２】
また、取付部材が、断面略Ｃ字形状のリップ溝形鋼であるため、そのリップ片部によって踏桟から外れにくくなり安全である。また、踏桟への取り付け時にも踏桟に掛止することができ、取り付けが簡易である。
【図面の簡単な説明】
【００１３】
【図１】本発明の実施形態に係る足場板支持具が梯子に取り付けられて足場板が架設された様子を示す斜視図。
【図２】図１のＡ−Ａ断面を示す側面図。
【図３】本発明の実施形態に係る足場板支持具を分離して梯子に取り付けた様子を示す側面図。
【図４】本発明の実施形態に係る足場板支持具が脚立に取り付けられた様子を示す斜視図。
【図５】図４のＢ−Ｂ断面を示す側面図。
【発明を実施するための形態】
【００１４】
本発明の最良の実施形態について、以下、図に基づいて説明する。図１、図２には本実施形態に係る足場板支持具１０を梯子５０に取り付けた例を示した。梯子５０は、一定の距離を隔てて平行に配置された２本の支柱５１と、その間に横架された複数の踏桟５２とを有する昇降器具である。足場板支持具１０は、取付部材１１と、取付部材１１に固定された載置部材１２と、長さ調整部１４を備える吊部材１３とを有する。
【００１５】
取付部材１１には、矩形板状の天面部１１ａと、天面部１１ａの相対する１組の辺からそれぞれ天面部１１ａに垂直下方に延出する側面部１１ｂ１及び１１ｂ２と、側面部１１ｂ１及び１１ｂ２の延出下辺からそれぞれ互いに近接する方向に垂直に延出するリップ片部１１ｃ１及び１１ｃ２とを有し、リップ片部１１ｃ１及び１１ｃ２の間に長手方向開口部１１ｄが形成されている断面形状が略Ｃ字の長手状部材であるリップ溝形鋼を用いている。取付部材１１は、図２に示すように、長手方向開口部１１ｄを介して上から被せて天面部１１ａを踏桟５２に載置するようにして取り付けられ、その状態では踏桟５２は取付部材１１の内部に収納されたような形になるので、長手方向開口部１１ｄの幅は踏桟５２の昇降面に対する奥行きよりも広く、側面部１１ｂ１及び１１ｂ２の高さは踏桟５２の高さよりも高くなっている。日本工業規格（ＪＩＳ）では、ＪＩＳ  Ｓ１１２１に、梯子の支柱の内幅は３００ｍｍ以上、脚立の最上段踏桟の支柱内幅は２８０ｍｍ以上とすることが規定されているため、取付部材１１の長手方向の長さは２８０ｍｍ以下であることが好ましい。また、同規格において、踏桟の昇降面に対する奥行きは、梯子が２０ｍｍ以上、脚立が３０ｍｍ以上とすることが規定されており、仮設工業会による脚立の仮設機材認定基準では、踏桟の幅が５ｃｍ以上とすることが規定されているため、取付部材１１の長手方向開口部１１ｄの幅は５０ｍｍ以上であることが好ましい。また、ここではリップ溝形鋼を用いたが、平板の両側を折り曲げた断面略コ字状のリップ片部のない溝形鋼を用いてもよい。
【００１６】
載置部材１２には、断面略矩形の長手状部材である角形鋼管を用いている。ここでは角形鋼管を用いているが、それに限らず断面円形の通常の鋼管や、Ｈ形鋼、Ｌ形鋼や溝形鋼などの形鋼などを用いてもよい。ただ、載置部材１２の載置面１２ａには足場板９０が載置されるため、載置面１２ａは平面である方が好ましい。載置部材１２の長手方向の一端側は、取付部材１１の側面部１１ｂ１の略中央に固定され、取付部材１１の天面部１１ａと載置部材１２の載置面１２ａが同じ側で略平行になっている。そして、載置部材１２の長手方向の他端側には、長さ調整部１４のフック１４ａ１が着脱自在に取り付けられる被掛止部材１２１が固定されている。被掛止部材１２１には、断面略円形の棒鋼の表面にリブが設けられて凹凸が形成されている異形棒鋼を略Ｕ字形に形成したものを用い、載置部材１２の長手方向に垂直に載置面１２ａから略Ｕ字の弧の部分が突出するように固定し、その略Ｕ字の弧の部分にフック１４ａ１が取り付けられるようになっている。ここでは異形棒鋼を用いたが、通常の丸鋼やその他の断面形状の棒鋼を用いてもよい。また、被掛止部材１２１によらずとも、載置部材１２の端部にフック１４ａ１が掛止できるようになっていればよい。
【００１７】
吊部材１３には、断面略円形の棒鋼の表面にリブによって凹凸が設けられた異形棒鋼を用いている。１本の異形棒鋼が略中央位置で折り曲げられて略Ｖ字に形成され、その略Ｖ字の谷部が被掛止部１３ａとなっており、長さ調整部１４のフック１４ａ２が着脱自在に取り付けられる。さらにその両端部はフック状に形成され、踏桟５２に引っ掛けるように着脱自在に取り付けられる掛止部１３ｂとなっている。ここでは異形棒鋼を用いているが、通常の丸鋼やその他の断面形状の棒鋼を用いてもよいし、鎖やワイヤー等を用いてもよい。ただ、異形棒鋼の方が、表面にリブが設けられているため、掛止部１３ｂと踏桟５２または被掛止部１３ａとフック１４ａ２が滑りにくくなるので好ましい。また、鎖やワイヤー等の屈曲性のあるものを用いた場合は、使用中にたわむような可能性も考えられるので棒鋼等の剛性のあるものを用いる方が好ましい。また、本実施形態の吊部材１３は、２か所の掛止部１３ｂによって同一の踏桟５２に取り付けられるが、１か所の掛止部によって踏桟５２に取り付けられる吊部材１３を用いてもよい。ただ、踏桟５２への掛止部が１か所だと使用中に横ずれする可能性も考えられるので、本実施形態のように２か所またはそれ以上の掛止部１３ｂを備える吊部材１３を用いる方が好ましい。図１に示すように、吊部材１３の２か所の掛止部１３ｂは、同一の踏桟５２に引っ掛けるため、２か所の掛止部１３ｂの間の距離は、踏桟５２の長さ、つまり支柱５１間の内幅よりも短くなっている。日本工業規格（ＪＩＳ）では、ＪＩＳ  Ｓ１１２１に、梯子の支柱の内幅は３００ｍｍ以上、また脚立の最上段踏桟の支柱内幅は２８０ｍｍ以上とすることが規定されているため、２か所の掛止部１３ｂの外側間の距離は２８０ｍｍ以下であることが好ましい。
【００１８】
長さ調整部１４には、ターンバックルを用いている。ターンバックルはターンバックル胴に右ねじのボルトと左ねじのボルトが取り付けられているもので、ターンバックル胴を回転させると、その回転方向によって両ボルトが同時に絞められるまたは緩められるので、ボルトの軸方向の長さの調整が可能となっている。ここではターンバックルを用いたが、その他の長さを調整できる手段を用いてもよい。また、長さ調整部１４は両端部にフック１４ａ１、１４ａ２を有し、それぞれ載置部材１２の端部に固定された被掛止部材１２１、吊部材１３の被掛止部１３ａに着脱自在に取り付けることができるようになっている。ここでは、長さ調整部１４の両端部にフックを有するものを用いて、長さ調整部１４は吊部材１３と別部材として、吊部材１３及び載置部材１２と着脱自在に取り付けることができるようにしているが、長さ調整部１４は吊部材１３の一部であるように吊部材１３と一体の構成にしてもよい。また、載置部材１２の端部に固定された被掛止部材１２１に掛止される長さ調整部１４のフック１４ａ１の代わりに、例えば、リング状の端部のものを用いて、被掛止部材１２１に回動自在に固定し、取付部材１１から吊部材１３までを一体の構成としてもよい。
【００１９】
次に、本実施形態に係る足場板支持具１０を梯子５０に取り付けて足場板９０を架設する流れについて説明する。図１に示すように、まず、目的の作業場所を挟むように２台の梯子５０を一定の距離を離して壁等に適切な角度で立てかける。そして一方の梯子５０の目的の作業場所に応じた高さの踏桟５２に長手方向開口部１１ｄを介して上から被せるようにして取付部材１１を載置するように取り付け、取付部材１１を取り付けた踏桟５２の少なくとも一段上の踏桟５２に吊部材１３を掛止部１３ｂによって引っ掛けるようにして取り付ける。取付部材１１の側面部１１ｂ１に一端側が固定された載置部材１２の他端側の被掛止部材１２１及び吊部材１３の被掛止部１３ａに、長さ調整部１４の端部のフック１４ａ１及び１４ａ２をそれぞれ掛止することによって連結する。そして、載置部材１２の載置面１２ａが水平になるように長さ調整部１４の長さを調整すると、足場板支持具１０の梯子５０への取り付けは完了である。あとはもう一方の梯子５０の同じ高さの踏桟５２にも同様に足場板支持具１０を取り付け、２つの載置部材１２の間に足場板９０を架設する。
【００２０】
足場板９０を架設した状態において、取付部材１１及び載置部材１２は、長さ調整部１４の軸方向の上方向と、自重及び足場板９０による鉛直下方向とに力を受けるため、図２に示すように、取付部材１１を取り付けた踏桟５２は、取付部材１１の内部で天面部１１ａ及び側面部１１ｂ１に当接する。天面部１１ａ、側面部１１ｂ１及びリップ片部１１ｃ１がフック状で、踏桟５２に掛止されるような形になっており、外れにくくなっている。また、図１、図２では、吊部材１３を、取付部材１１を取り付けた踏桟５２の２段上の踏桟５２に取り付けている例を示したが、それに限らず、用いる吊部材１３や長さ調整部１４のサイズ、また、梯子５０の踏桟５２間の間隔によって、取付部材１１を取り付けた踏桟５２の少なくとも一段上の適する位置にあるいずれかの踏桟５２に取り付ければよい。
【００２１】
本実施形態に係る足場板支持具１０は、載置部材１２を、長さ調整部１４を介した吊部材１３によって上から吊るような形で支えているため、特許文献１に示されているような、載置部材１２を下から棒状の支持部材で支える場合と比べて、座屈の心配がなく、強度的にも安心である。また、架設した足場板９０の上で作業をする際、足場板９０を載置した２つの載置部材１２の間の領域に乗る必要があり、この領域から外れた端の方の場所に乗ると足場板９０が跳ね上がって転倒、落下する危険性がある。特許文献１に示されているような、載置部材１２を下から棒状の支持部材で支える場合は、この領域が分かりづらく、作業に夢中になっていると誤ってこの領域外に踏み外す危険性があるが、本実施形態に係る足場板支持具１０の場合は、吊部材１３が柵代わりになるため、その心配がなく安全に作業できる。また、載置部材１２の端部に固定された被掛止部材１２１は、その略Ｕ字形状の弧の部分が載置部材１２の長手方向に垂直に載置面１２ａから突出するようにして固定されているため、足場板９０を載置した際に、足場板９０は支柱５１と被掛止部材１２１の間に保持され、それらが柵のような働きをして足場板９０の短手方向への脱落が防止されるため、安全に作業できる。
【００２２】
また、足場板支持具１０を梯子５０の高い位置の踏桟５２に取り付ける場合、通常、目的の踏桟５２の近くまで足場板支持具１０を持ちながら梯子５０を上っていって取り付けるということになるが、かさばるものを手に持ちながら梯子５０を上ると落としたり足を踏み外したりする可能性が高まり危険である。しかし、本実施形態に係る足場板支持具１０は、載置部材１２と吊部材１３が両端部にフック１４ａ１、１４ａ２を有する長さ調整部１４によって着脱可能に連結されていて分離可能であり、また、取付部材１１の天面部１１ａ、載置部材１２が固定されている側とは反対側の側面部１１ｂ２及びリップ片部１１ｃ２がフック状となっていて、そのフック状の部分を踏桟５２に引っ掛けることができる。そのため、図３に示すように、地面または梯子５０の下段の方の踏桟５２から、載置部材１２を持って取付部材１１を頭上に掲げて、取付部材１１及び載置部材１２を目的の踏桟５２に取り付け、さらに長さ調整部１４を掛止させた吊部材１３も目的の踏桟５２に取り付けておくと、手に何も持たずに梯子５０を上り、上った先で載置部材１２と長さ調整部１４を連結して足場板支持具１０を設置することができるので、安全に取付作業ができる。また、本実施形態では取付部材１１及び載置部材１２と、吊部材１３と、長さ調整部１４とが分離可能なため、収納する際にコンパクトにできる。
【００２３】
図４、図５には、本実施形態に係る足場板支持具１０を脚立６０に取り付けた例を示した。脚立６０も梯子５０と同様に、２本の支柱６１と、その間に架設された複数の踏桟６２とを有する梯子体であるが、２本の支柱６１の間の間隔が上方になるほど狭くなる略ハの字形状となっており、その梯子体を２台両側から合わせて上部を連結し、その連結部を支点として下部が開閉可能で自立可能な昇降器具である。また、踏桟６２の断面形状が略平行四辺形の場合の例を示した。
【００２４】
本実施形態に係る足場板支持具１０の昇降器具への取り付けは、取付部材１１及び吊部材１３によって、踏桟に対して取り付けられるため、支柱間の幅には依存せず、脚立６０のように、支柱６１間の幅が上段側と下段側で異なる場合であっても取り付け可能である。また、取付部材１１は、長手方向開口部１１ｄを介して上から被せて天面部１１ａを踏桟に載置するようにして取り付けられ、また、吊部材１３も両端部のフック状の掛止部１３ｂによって踏桟に引っ掛けるようにして取り付けられるため、梯子５０の踏桟５２の略円形の断面形状や、脚立６０の踏桟６２の略平行四辺形の断面形状など、踏桟の断面形状を問わずに取り付け可能である。さらに、取付部材１１と吊部材１３を踏桟に取り付けて、載置部材１２の載置面１２ａが水平になるように長さ調整部１４の長さを調整するだけでよいので、非常に簡易に取り付け可能である。また、本実施形態では足場板支持具１０を取り付けた２台の昇降器具の間に足場板９０を架設する例を示したが、作業範囲が広く長い足場板９０を用いる場合には、３台かそれ以上の昇降器具にそれぞれ足場板支持具１０を取り付けて足場板９０を架設するようにしてもよい。
【００２５】
上記はあくまで本発明に係る足場板支持具の一実施形態を示したものであるため、本発明の思想を逸脱しない範囲で適宜変更可能である。
【産業上の利用可能性】
【００２６】
本発明に係る足場板支持具は、梯子、脚立や三脚等の２本の支柱の間に複数の踏桟を有する昇降器具に簡易に取り付けられ、短時間で簡易な足場を設営することができるため、作業範囲が広く短時間で済ませられる高所作業において、作業能率の向上を図ることができる。
【符号の説明】
【００２７】
１０    足場板支持具
１１    取付部材
１２    載置部材
１３    吊部材
１４    長さ調整部
５０    梯子（昇降器具）
６０    脚立（昇降器具）
５１、６１    支柱
５２、６２    踏桟
９０    足場板
【図１】
2019078109.tif 000003
【図２】
2019078109.tif 000004
【図３】
2019078109.tif 000005
【図４】
2019078109.tif 000006
【図５】
2019078109.tif 000007